(57)【要約】【課題】メンテナンス作業性を簡素化することができると共に、陳列室内の冷却効率の向上を図ることができる照明装置を備えたショーケースを提供する。【解決手段】本発明のショーケース１は、断熱壁２内に陳列室１１を構成し、該陳列室１１内に架設した複数段の棚の棚板３２上に商品を陳列して冷却するものであって、陳列室１１内を上方から照明するＬＥＤ照明４０を設けると共に、各棚を構成する棚板３２等を透明素材にて構成した。【選択図】図２
2008206665.tif 000002
【特許請求の範囲】
【請求項１】
断熱壁内に陳列室を構成し、該陳列室内に架設した複数段の棚上に商品を陳列して冷却するショーケースにおいて、
前記陳列室内を上方から照明するＬＥＤ照明を設けると共に、
前記各棚を透明素材にて構成したことを特徴とするショーケース。
【請求項２】
前記陳列室の前面開口上縁に設けられた冷気吐出口より冷気を吐出し、開口下縁に設けられた冷気吸込口より吸い込むことにより、当該陳列室の前面開口に冷気エアーカーテンを形成すると共に、
前記断熱壁の上部前端より前方に張り出したキャノピーと、
該キャノピーの内側に設けられ、前記冷気吐出口より前方に位置する反射板とを備え、
該反射板に前記ＬＥＤ照明を取り付けると共に、
該ＬＥＤ照明の発光を、前記陳列室の前面開口に向けて照射することを特徴とする請求項１に記載のショーケース。
【発明の詳細な説明】
【技術分野】
【０００１】
本発明は、断熱壁内に陳列室を構成し、該陳列室内にて商品を冷却しながら陳列して成るショーケースであって、特に、陳列室内の照明に関するものである。
【背景技術】
【０００２】
従来よりこの種ショーケースには、例えば特許文献１や図１０に示される如きオープンショーケース１００がある。図１０は従来のオープンショーケース１００の縦断側面図を示している。係るオープンショーケース１００は、断面略コ字状の断熱壁１０１の開口１０２上縁に形成した吐出口１０３から、開口１０２下縁の吸込口１０４に向けて冷気を吐出することにより、前記開口１０２に冷気エアーカーテンを形成する。これにより、断熱壁１０１にて囲繞された陳列室１０５内は所定の温度に冷却される。そして、開口１０２上縁の外側に位置するキャノピー１０７や開口１０２両側縁及び棚１０６前部下面などに複数の蛍光灯１０８を取り付け陳列室１０５内及びショーケース１００自体の照明を行っていた。
【特許文献１】特開平５−１４６３４６号公報
【発明の開示】
【発明が解決しようとする課題】
【０００３】
ところが、従来のオープンショーケース１００では、照明装置として蛍光灯１０８を使用し、当該蛍光灯１０８を陳列室１０５の上前方や陳列室１０５内に架設される棚１０６の下面などに設けられていたため、当該蛍光灯１０８による照明によって、陳列室１０５内に熱負荷が生じる問題があった。一般に、蛍光灯は、電気エネルギーを可視放射、赤外放射、紫外放射に変換し、可視光線を放射することで、照明として用いるものである。その際、熱損失が生じるため、蛍光灯自体のみ成らず、当該蛍光灯による輻射熱によって、陳列室１０５内が加熱される問題がある。
【０００４】
そのため、陳列室１０５内を所定の温度に冷却する冷却ショーケースでは、照明による熱負荷を考慮した冷却運転を行うため、冷却効率の低下を生じる。これにより、ランニングコストの高騰を招く問題があった。また、紫外線が陳列室１０５内に陳列される商品に照射されることから、商品に悪影響を及ぼす問題がある。
【０００５】
更に、蛍光灯は、交流を使用するためチラツキが生じる問題があるため、目に悪影響を及ぼす問題がある。
【０００６】
また、蛍光灯１０８を陳列室１０５内に取り付けるためには、ソケットや安定器等の部品が必要となるため、取り付け位置には、蛍光灯のみならず、ソケットや安定器などの取り付け場所をも確保する必要がある。また、それぞれの蛍光灯に給電を行うための配線接続を行わなければならず、組み立て作業性が悪化すると共に、部品点数の増加と生産コストの高騰を招く問題があった。
【０００７】
近年、陳列室１０５内における陳列効率の向上を図ることを目的として棚１０６全体の厚さを薄くする傾向にあるが、実際には、棚１０６下側に設けられる蛍光灯によって棚１０６の厚さ寸法が制限されてしまう問題があった。
【０００８】
また、蛍光灯１０８は、経年劣化による輝度の低下や点灯不良により、交換作業が余儀なくされる。そのため、使用者は、蛍光灯１０８の交換作業を強いられることとなり、作業が煩雑となる問題がある。交換のため新しい蛍光灯１０８を常備しておく必要があり、当該蛍光灯１０８の保管場所を確保する必要がある。更には、当該蛍光灯１０８内に水銀が含有されていることから、使用後の蛍光灯１０８を容易に廃棄することができないという問題があった。
【０００９】
そこで、本発明は、従来の技術的課題を解決するために成されたものであり、メンテナンス作業性を簡素化することができると共に、陳列室内の冷却効率の向上を図ることができる照明装置を備えたショーケースを提供する。
【課題を解決するための手段】
【００１０】
本発明のショーケースは、断熱壁内に陳列室を構成し、該陳列室内に架設した複数段の棚上に商品を陳列して冷却するものであって、陳列室内を上方から照明するＬＥＤ照明を設けると共に、各棚を透明素材にて構成したことを特徴とする。
【００１１】
請求項２の発明のショーケースは、上記発明において、陳列室の前面開口上縁に設けられた冷気吐出口より冷気を吐出し、開口下縁に設けられた冷気吸込口より吸い込むことにより、当該陳列室の前面開口に冷気エアーカーテンを形成すると共に、断熱壁の上部前端より前方に張り出したキャノピーと、該キャノピーの内側に設けられ、冷気吐出口より前方に位置する反射板とを備え、該反射板にＬＥＤ照明を取り付けると共に、該ＬＥＤ照明の発光を、陳列室の前面開口に向けて照射することを特徴とする。
【発明の効果】
【００１２】
本発明によれば、断熱壁内に陳列室を構成し、該陳列室内に架設した複数段の棚上に商品を陳列して冷却するショーケースにおいて、陳列室内を上方から照明するＬＥＤ照明を設けると共に、各棚を透明素材にて構成したことにより、陳列室内の上方からＬＥＤ照明によって、効果的に陳列室内全体を照明することが可能となる。また、上方から照射されるＬＥＤ照明の発光が透明素材にて構成される棚を透過することにより、ＬＥＤ照明からの発光を陳列室内全体に行き渡らせることが可能となり、陳列室全体の照明効果を向上させることが可能となる。
【００１３】
従って、各棚に照明具を格別に設けることなく、各棚上の商品を照明することが可能となることから、これら照明具を取り付けるためのソケットなどの照明に付属する部品をも不要とすることができ、棚の構成を簡素化することが可能となる。
【００１４】
また、当該ＬＥＤ照明は、従来の如く複数の蛍光灯等の照明装置が陳列室内に設けられていた場合と同様の照明効果を奏することができるため、ショーケース全体としての消費電力を著しく低減することができる。また、当該ＬＥＤ照明は、陳列室内に陳列される商品に、有害な紫外線や熱線を放射しないため、商品を加熱することなく照明することができ、熱負荷によるショーケース自体の冷却効率の低下を未然に防止することが可能となる。これにより、ショーケース全体としてのランニングコストの低減を図ることが可能となる。
【００１５】
更に、照明による有害な紫外線によって、商品に悪影響が及ぼされる不都合を回避することが可能となる。これにより、商品をより新鮮な状態を維持しつつ、陳列することが可能となる。
【００１６】
請求項２の発明によれば、上記発明に加えて、陳列室の前面開口上縁に設けられた冷気吐出口より冷気を吐出し、開口下縁に設けられた冷気吸込口より吸い込むことにより、当該陳列室の前面開口に冷気エアーカーテンを形成すると共に、断熱壁の上部前端より前方に張り出したキャノピーと、該キャノピーの内側に設けられ、冷気吐出口より前方に位置する反射板とを備え、該反射板にＬＥＤ照明を取り付けると共に、該ＬＥＤ照明の発光を、陳列室の前面開口に向けて照射することにより、陳列室の上前方からＬＥＤ照明によって、効果的に陳列室内全体を照明することが可能となる。
【００１７】
これにより、各棚上に陳列される商品のフェイス面を効果的に照明することが可能となると共に、陳列室内に照射されたＬＥＤ照明からの発光が陳列室内に架設された透明素材の棚を透過することで、陳列室内全体に行き渡らせることが可能となり、陳列室全体の照明効果を向上させることが可能となる。
【００１８】
特に、ＬＥＤ照明は、冷気エアーカーテンの外側に設けられることから、照明に関する陳列室内の熱負荷を零とすることができ、ショーケース自体の冷却効率の低下を未然に防止することが可能となる。これにより、ショーケース全体としてのランニングコストの低減を図ることが可能となる。
【発明を実施するための最良の形態】
【００１９】
次に、図面を参照して本発明の実施形態について詳述する。図１は本発明を適用したオープンショーケース１の斜視図、図２は図１のオープンショーケース１の縦断側面図をそれぞれ示している。オープンショーケース１は、例えばスーパーマーケットなどの店舗内に据え付けられる縦型のオープンショーケースであり、前面に開口する断面略コ字状の断熱壁２と、据え付け現場において断熱壁２の側面に取り付けられた断熱性の側板５、５とから構成されている。
【００２０】
オープンショーケース１の断熱壁２の内側にはそれぞれ間隔を存して仕切板４及び図示しないもう一枚の仕切板が取り付けられ、これら仕切板４などと断熱壁２間に図示しない内外二層のダクトが形成されている。内側の仕切板を構成する背部仕切板１０の下端前方には、底板９が断熱壁２の底壁２Ａとの間にダクト用の間隔を存して取り付けられており、これら仕切板４及び底板９の内側を陳列室１１としている。
【００２１】
また、この陳列室１１内には、高さ及び取付角度が変更可能であると共に、陳列室１１内背部の図示しない支柱に取り付けられる一対のブラケット３１及びこれらと共に棚を構成する棚板３２が複数段に渡って架設されている。棚板３２の前縁には、硬質合成樹脂により成形されるプライスレール３４が取り付けられており、当該プライスレール３４は、棚板３２の装飾体を兼用している。また、この棚板３２の前壁とプライスレール３４との間には、所定の間隔が形成されており、当該間隔には棚板３２上の商品が落下することを防止するためのガード３５が取り付けられる。
【００２２】
なお、本実施例において棚板３２は、透孔性を有する透明素材、例えば、ガラス板やアクリル板により構成されているものとする。また、当該透明素材により構成される棚板３２は、所定の強度を有するものとする。これ以外にも、棚板３２を支柱に取り付けるためのブラケット３１やプライスレール３４、ガード３５等も同様に透明素材により構成しても良いものとする。
【００２３】
断熱壁２の前面開口１２の上縁にはハニカム材１３、１４がそれぞれ取り付けられた内層吐出口１６及び外層吐出口１７が並設されており、これら内層吐出口１６及び外層吐出口１７は、前記内層ダクト及び外層ダクトにそれぞれ連通している。また、開口１２の下縁には、内層吸込口１８と外層吸込口１９が並設されている。
【００２４】
一方、底板９下方後部には断熱壁２の底壁２Ａ上に前記内層ダクト及び外層ダクトのそれぞれに対応する図示しない送風機が複数台設置されている。
【００２５】
背部仕切板１０後方の内層ダクト内には冷却装置の冷却器３９が縦設されており、前記内層ダクトに対応した送風機が運転されると冷却器と熱交換した冷気は内層ダクト内を上昇せられ、内層吐出口１６より内層吸込口１８に向かって吐出される。そして、内層吸込口１８から吸い込まれた冷気は再び前記送風機によって加速される。
【００２６】
他方、前記外層ダクトに対応した送風機が運転されると外層ダクト内の空気は外層ダクト内を上昇せられ、外層吐出口１７より外層吸込口１９に向かった吐出される。そして、外層吸込口１９から吸い込まれた空気は再び前記送風機によって加速される。これによって、開口１２には前後二重のエアーカーテンが形成され、内側の冷気エアーカーテンの一部が陳列室１１内に循環されて陳列室１１は冷却される。
【００２７】
一方、断熱壁２の下側前壁２Ｃの上面には、ショーケース１の開口１２下縁の全幅に渡って設けられるハンドレール２０が取り付けられる。この前壁２Ｃの前面には、ハンドレール２０と連続するように前面下パネル２１が取り付けられ、該前面下パネル２１の下方には前面下パネル２１と略面一となるようにバンパー２２が取り付けられる。
【００２８】
次に、図３乃至図５を参照して、断熱壁２の天壁２Ｂ前部の構成について説明する。図３は図２の部分拡大断面図、図４はシェード４６の拡大断面図、図５はＬＥＤ照明４０の取付状態を示す図である。
【００２９】
断熱壁２の天壁２Ｂ前端（上部前端）には、前方に張り出したキャノピー３３が取り付けられており、このキャノピー３３の内側には、陳列室１１の前面開口１２より外側に延在した状態で反射板４５が取り付けられる。尚、キャノピー３３の前面には図１に示されるように温度計３８が設けられている。
【００３０】
この反射板４５は、化粧塗装が施された金属板にて構成されており、前部には、長手方向に渡って凹陥された照明取付部４１が形成されている。この照明取付部４１は、下後方に位置する陳列室１１の前面開口１２に向けて開口しており、当該照明取付部４１の前後縁は、開口にいくに従い、互いに近接する方向に少許傾斜して形成されている。
【００３１】
そして、この照明取付部４１の当該開口に対向する面は、照明取付面４１Ａとされており、上前方から陳列室１１の前面開口１２を臨む角度、即ち、後斜め下方の陳列室１１方向に面して構成されており、当該照明取付面４１Ａには、ＬＥＤ照明４０が取り付けられている。
【００３２】
このＬＥＤ照明４０は、長手方向に延在する基板４２に所定間隔を存して複数取り付けられており、当該ＬＥＤ照明４０が設けられた基板４２は、照明取付面４１Ａに当接した状態で、複数の固定ネジ４３・・により固定されている。なお、本実施例において用いられるＬＥＤ照明４０は、日亜化学製のチップタイプの白色のＬＥＤ照明（品番ＮＳ６Ｗ０８３Ｔ）である。また、当該ＬＥＤ照明４０は、一列若しくは、前後に二列以上並設してもよく、本実施例では、二列設けられているものとする。本実施例では、オープンショーケース１の前面開口１２が６尺（約１８３０ｍｍ程度）延在して形成されているため、当該ＬＥＤ照明４０は、１０８個程度使用する。
【００３３】
また、ＬＥＤ照明４０が取り付けられる反射板４５の照明取付面４１Ａには、図５に示すように長手方向に渡って複数の排気孔４４が穿設されている。
【００３４】
そして、照明取付部４１の照明取付面４１Ａは、ＬＥＤ照明４０、基板４２、排気孔４４を下側から囲繞するかたちで取り付けられるシェード４６によってカバーされる。シェード４６は、陳列室１１の前面開口１１に向けて突出するように所定曲率にて湾曲した形状とされている。なお、当該シェード４６は、反射板４５の照明取付部４１に嵌め合わせることによって、着脱自在に取り付けられる。図５では、照明取付部４１の一部にシェード４６が取り付けられている状態を示している。
【００３５】
このシェード４６は、透孔性を有する無色透明の材料により構成されており、本実施例では、ＬＥＤ照明４０からの光を陳列室１１の前面開口１２に対して拡散させるため、ＬＥＤ照明４０側に面する面が平滑に形成されていると共に、ＬＥＤ照明４０とは反対側となるシェード４６の外面４６Ａは、図４に示すように断面波形若しくはノコギリ刃形状とされている。
【００３６】
これにより、ＬＥＤ照明４０から平行に直進し、シェード４６に入射された光は、断面波形若しくはノコギリ刃形状とされた外面４６Ａにおいて、多方向に屈折され、広範囲に拡散することが可能となる。
【００３７】
係る構成により、ＬＥＤ照明４０が点灯されると、シェード４６において拡散された後のＬＥＤ照明４０の照射光により、陳列室１１の外側に位置する上前方から効果的に陳列室１１内全体を照明することが可能となる。
【００３８】
ここで、図６の実験結果を参照して、従来の蛍光灯により陳列室１１内の照明を行った場合と、本実施例の如くＬＥＤ照明４０により陳列室１１内の照明を行った場合との比較を行う。係る実験では照明以外の装置は、比較のため、同一のショーケースを用いる。従来の蛍光灯を用いた実験では、図１０に示す如くキャノピー部、庫内天板部、４段架設されるそれぞれの棚１０６の前部下面に照明としてＴ１０（φ３２ｍｍ）を用いたものと、Ｔ５管（φ１６ｍｍ）を用いたものの２種類を示す。他方、本実施例の如きＬＥＤ照明４０を用いた実験では、図７に示す如くキャノピー３３にＬＥＤ照明４０を１列取り付けたものを示す。
【００３９】
そして、各ショーケース１の陳列室内に４段の棚を架設し、各棚上前端に商品Ｓを載置し、それぞれの商品のフェイス面に照射された光の照度を測定した。なお、一番上の棚上の商品Ｓのフェイス面をＡ点とし、二段目の棚上の商品Ｓのフェイス面をＢ点、三段目の棚上の商品Ｓのフェイス面をＣ点、４段目の棚上の商品Ｓのフェイス面をＤ点とする。
【００４０】
これによると、Ｔ１０蛍光灯を用いた場合における各点の照度は、Ａ点が１２６０ＬＸ、Ｂ点が８３０ＬＸ、Ｃ点が６００ＬＸ、Ｄ点が６００ＬＸであった。また、Ｔ５管蛍光灯を用いた場合における各点の照度は、Ａ点が１８００ＬＸ、Ｂ点が１３００ＬＸ、Ｃ点が７００ＬＸ、Ｄ点が４７０ＬＸであった。Ｄ点以外の位置では、Ｔ５管蛍光灯の方がＴ１０蛍光灯を用いた場合に比して照度が高いことが分かる。
【００４１】
これに対し、本実施例の如きＬＥＤ照明４０をキャノピー３３内側の反射板４５に取り付けた場合には、各点の照度は、Ａ点が２３８０ＬＸ、Ｂ点が１５２０ＬＸ、Ｃ点が１０００ＬＸ、Ｄ点が８１２ＬＸであった。従って、各棚に載置された商品に照射される光の照度は、いずれの点においても、従来の如き蛍光灯を用いた場合に比してＬＥＤ照明４０を用いた場合の方が高いことが分かる。
【００４２】
また、上述した各場合における照明に要する全消費電力で比較すると、Ｔ１０蛍光灯を用いた場合には４６８Ｗ、Ｔ５管蛍光灯を用いた場合には３５６Ｗ、ＬＥＤ照明４０を用いた場合には、１９８Ｗである。Ｔ１０蛍光灯を使用した場合の電力を１００とした場合のＴ５管蛍光灯の消費電力は７６％であり、ＬＥＤ照明４０の消費電力は４２％であった。
【００４３】
従って、本実施例の如くＬＥＤ照明４０を陳列室１１内の照明として用いた場合には、従来の如き複数の蛍光灯等の照明装置が陳列室内に設けられていた場合と比較して、同等以上の照明効果を奏することができる。そのため、該棚板３２には自ら発光する照明具、例えば、棚板３２下面などに蛍光灯その他の照明具を設けない構成としても、各棚板３２上に陳列される商品、特に、牛乳パックやペットボトル入り飲料などの起立した状態で載置され、陳列室１１の前面開口１２に面する商品のフェイス面を効果的に照明することが可能となる。
【００４４】
これにより、各棚板３２に照明具を不要とすることから、露付きによる漏電を防止することができると共に、これら照明具を取り付けるためのソケットや安定器などの照明に付属する部品をも不要とすることができ、棚の構成を簡素化することが可能となる。また、部品点数を削減することができるため、生産性の向上を図ることが可能となる。
【００４５】
また、キャノピー３３の反射板４５に取り付けられたＬＥＤ照明４０により、従来の如き複数の蛍光灯等の照明装置が陳列室内に設けられていた場合と同様の照明効果を奏することができるため、ショーケース１全体としての消費電力を著しく低減することが可能となる。
【００４６】
更に、当該ＬＥＤ照明４０は、陳列室１１内に陳列される商品に、有害な紫外線や熱線を放射しないため、商品を加熱することなく照明することができる。特に、それ自体が発熱するＬＥＤ照明４０は、断熱壁２の上部前端より前方に張り出したキャノピー３３の内側に設けられているため、陳列室１１の外側、即ち、冷気エアーカーテンの外側から陳列室１１内を照明することとなる。そのため、照明に関する陳列室１１内の熱負荷を零とすることができ、ショーケース１自体の冷却効率の低下を未然に防止することが可能となる。従って、ショーケース１全体としてのランニングコストの低減を図ることが可能となる。
【００４７】
また、照明による有害な紫外線によって、商品に悪影響が及ぼされる不都合を回避することが可能となる。これにより、商品をより新鮮な状態を維持しつつ、陳列することが可能となる。
【００４８】
他方、ＬＥＤ照明４０が取り付けられる基板４２は、金属板により構成される反射板４５に当接した状態で、熱交換可能に取り付けられているため、ＬＥＤ照明４０の基板４２から生じる排熱が反射板４５に伝達されることによって、反射板４５による放熱効果を得ることができる。これにより、ＬＥＤ照明４０の基板４２から生じる熱を円滑に放出することが可能となる。
【００４９】
また、ＬＥＤ照明４０は、従来用いられていた蛍光灯とは異なり、ちらつきが生じないため、安定した照明を行うことができ、適切な商品の照明を実現することができる。更に、ＬＥＤ照明４０は、調光を容易に変更することが可能であるため、陳列室１１内に陳列される商品に応じて、調光を変化させることで、より一層効果的な照明が可能となる。
【００５０】
更にまた、ＬＥＤ照明４０は、蛍光灯に比して、耐用年数が著しく長いため、照明の交換作業を不要とすることができる。そのため、交換部品の常備や交換によって排出される廃棄物の処理など煩雑な作業を不要とすることができる。
【００５１】
また、本実施例では、ＬＥＤ照明４０からの平行に直進して来る光は、当該ＬＥＤ照明４０をカバーする透孔性のシェード４６によって、多方向に拡散させることができるため、陳列室１１の前面開口１２にＬＥＤ照明４０からの光を広い範囲に照射することができ、一方向から照射されるＬＥＤ照明４０によっても効果的に陳列室１１内全体を照明することが可能となる。
【００５２】
これにより、陳列室１１の前面開口１２に臨んで陳列される商品、特に、牛乳パックやペットボトル入り飲料などの起立した状態で載置され、陳列室１１の前面開口１２に面する商品のフェイス面をシェード４６を経て拡散されたＬＥＤ照明４０からの発光によって照明することができるため、商品の照明効果を向上させることが可能となる。
【００５３】
また、本実施例では、シェード４６は、ＬＥＤ照明４０とは反対側となるシェードの外面４６Ａを、断面波形若しくはノコギリ刃形状としたので、当該断面波形若しくはノコギリ刃形状とされたシェード４６Ａの外面がプリズムとなってＬＥＤ照明から平行に直進して来る光を多方向に屈折させて、反射・拡散させることが可能となり、ＬＥＤ照明からの発光をシェードによって広範囲に照射することが可能となる。
【００５４】
従って、上述したように当該ＬＥＤ照明４０からの光によって、従来の如く複数の蛍光灯等の照明装置が陳列室内に設けられていた場合と同等以上の照明効果を奏することが可能となる。
【００５５】
また、本実施例では、陳列室１１内に架設される棚の棚板３２等は、上述したように透明素材にて構成されているため、上方から照射されるＬＥＤ照明４０の発光が透明素材にて構成される棚を透過することにより、ＬＥＤ照明４０からの発光を棚によって阻害されることなく、陳列室１１内全体に行き渡らせることが可能となり、陳列室１１全体の照明効果を向上させることが可能となる。
【００５６】
従って、係る構成によっても、各棚板３２に照明具を格別に設けることなく、各棚上の商品を照明することが可能となることから、これら照明具を取り付けるためのソケットなどの照明に付属する部品をも不要とすることができ、棚の構成を簡素化することが可能となる。
【００５７】
また、棚板３２等を透明素材により構成する以外にも、図８に示すように、棚板３２を従来用いられていた如き鋼板性材料により構成し、当該棚板３２の下面に導光板４８を取り付けても良い。この導光板４８は、例えばアクリル樹脂などにより構成されており、棚板３２（プライスレール３４等を含むめた棚全体）の前端よりも少許前方に（ＬＥＤ照明４０側に）延出させた状態で、棚板３２の下面全体に取り付けられている。棚板３２よりも前側に突出した状態で設けられる導光板４８の前端には、入光部４９が形成されており、当該入光部４９は、ＬＥＤ照明４０から照射された光を受光し、後方に反射する構成とされている。
【００５８】
他方、導光板４８の棚板３２下面側に面する面には、導出された光を乱反射させるための複数の溝や傷などが施されていると共に、当該面には、反射シート５０が貼付されている。そして、導光板４８の棚板３２下面とは反対側の面、即ち発光面５２には、拡散シート５１が貼付されている。
【００５９】
係る構成により、上方からＬＥＤ照明４０によって陳列室１１内を照明することで、各棚板３２より前側に突出して設けられる導光板４８の入光部４９にＬＥＤ照明４０からの発光が入射される。これにより、入光部４９から後方に導出された光は、棚板３２下面側の面に形成される傷や反射シート５０によって、乱反射され、対向する発光面５２において、拡散シート５１により拡散され、発光する。従って、導光板４８を介して棚板３２下面全体に設けられる導光板４８の発光面５２からＬＥＤ照明４０からの照射光が発光されることとなる。
【００６０】
そのため、導光板４８の発光面５２から拡散光が照射されることにより、当該導光板４８が設けられた棚板３２の下方に位置して対向する棚板３２上全面が照明される。従って、陳列室１１内を上方から照明するＬＥＤ照明４０のみで、陳列室１１内を上方から照明することができると共に、各棚板３２に載置される商品のフェイス面のみならず、棚板３２の後方に載置されている商品をも照明することが可能となり、これにより、陳列室１１内全体を効果的に照明することができる。
【００６１】
特に、上方に導光板４８が設けられた棚板３２の照明は、導光板４８の入光部４９に入射されるＬＥＤ照明４０からの発光を当該棚板３２に対向して設けられる導光板４８の発光面５２において発光させることにより行われるため、格別に照明具を設ける必要がなくなり、ソケットや配線などが不要となるため、棚の構成を簡素化することが可能となる。
【００６２】
なお、本実施例では、導光板４８を棚板３２下面の全面にわたって設けているが、棚板３２の前側から奥行き寸法に延在して構成されているものであれば、係る構成に限定されるものではない。
【００６３】
また、キャノピー３３の内側に設けられるＬＥＤ照明４０の構成に加えて、若しくは、当該ＬＥＤ照明４０の構成に代えて、陳列室１１の下前方から陳列室１１内をＬＥＤ照明４０によって照明する構成としても良い。
【００６４】
係る場合には、図９に示す如く上記実施例におけるハンドレール２０をショーケース１の前面開口１２下縁の全幅に渡って設けられるハンドレール本体２４と、当該ハンドレール本体２４の上面に開口１２下縁の全幅に渡って設けられる反射板２６と、当該ハンドレール本体２４の上端から前面を被覆する前面上パネル２５により構成し、当該反射板２６にＬＥＤ照明４０を取り付ける。
【００６５】
反射板２６は、金属板により構成し、同じく金属板により構成されるハンドレール本体２４や前面上パネル２５と交熱的に配設する。なお、反射板２６に使用される金属板には、例えば、熱交換効率の高いアルミ材を用いる。そして、反射板２６の上面には、上記反射板４５と同様に、長手方向に渡って凹陥された照明取付部２６Ａが形成されている。この照明取付部２６Ａには、前後縁にシェード５３を着脱自在に取り付けるための係合爪２６Ｂが形成されている。
【００６６】
そして、この照明取付部２６Ａの開口に対向する面は、照明取付面２６Ｃとされており、下前方から陳列室１１の前面開口１２を臨む角度、即ち、後斜め上方の陳列室１１方向に面して構成されており、当該照明取付面２６Ｃには、上記キャノピー３３の内側に取り付けられるものと同様に構成されるＬＥＤ照明４０が取り付けられている。
【００６７】
そして、照明取付部２６Ａの照明取付面２６Ｃは、ＬＥＤ照明４０等を上側から囲繞するかたちで取り付けられるシェード５３によってカバーされる。シェード５３は、陳列室１１の前面開口１１に向けて突出するように所定曲率にて湾曲した形状とされている。なお、当該シェード５３は、反射板２６の照明取付部２６Ａの係合爪２６Ｂに前後端を嵌め合わせることによって、着脱自在に取り付けられる。なお、当該シェード５３の構成は、上記シェード４６の構成と略同一であるため詳細な説明は省略する。
【００６８】
係る構成により、ＬＥＤ照明４０が点灯されると、シェード５３において拡散された後のＬＥＤ照明４０の照射光により、陳列室１１の外側に位置する下前方から効果的に陳列室１１内全体を照明することが可能となる。
【００６９】
そのため、係る構成とした場合であっても、上述した如きキャノピー３３の内側にＬＥＤ照明４０を取り付けた場合と同様に、陳列室１１内に設けられる各棚板３２の下面などに蛍光灯その他の照明具を設けない構成としても、各棚上に陳列される商品のフェイス面を効果的に照明することが可能となる。従って、各棚に照明具を不要とすることから、露付きによる漏電を防止することができると共に、これら照明具を取り付けるためのソケットや安定器などの照明に付属する部品をも不要とすることができ、棚の構成を簡素化することが可能となる。
【００７０】
また、反射板２６に取り付けられたＬＥＤ照明４０により、従来の如き複数の蛍光灯等の照明装置が陳列室１１内に設けられていた場合と同様の照明効果を奏することができるため、ショーケース全体での消費電力を著しく低減することが可能となる。
【００７１】
また、この場合においても、当該ＬＥＤ照明４０は、冷気エアーカーテンの外側に設けられることから、照明に関する陳列室１１内の熱負荷を零とすることができ、ショーケース１自体の冷却効率の低下を未然に防止することが可能となる。これにより、ショーケース１全体としてのランニングコストの低減を図ることが可能となる。
【００７２】
また、外層吸込口１９等の冷気吸込口付近に設けられるハンドレール本体２４に取り付けられた反射板２６において、ＬＥＤ照明４０の基板４２から生じる熱を放出させることによって、結露が生じやすい冷気吸込口付近を加熱することができ、ハンドレール２０を構成する反射板２６、ハンドレール本体２４や前面上パネル２５への結露の発生を抑制することが可能となる。
【００７３】
これにより、ＬＥＤ照明４０から放出される熱を利用して結露を防止することが可能となり、ハンドレール２０に格別に結露防止用のヒータを設ける必要がなくなる。
【００７４】
なお、上記実施例では、ハンドレール２０は、ハンドレール本体２４と、反射板２６と前面上パネル２５とから構成しているが、係る構成に限定されるものではなく、ハンドレール２０を一部品にて構成し、当該ハンドレール２０を金属部材により形成して、陳列室１１の前面開口１２を下前方から臨む位置に反射部を設け、当該反射部にＬＥＤ照明４０を取り付ける構成としても同様の効果を奏するものとする。
【００７５】
また、上記実施例では、ＬＥＤ照明４０をキャノピー３３の内側やハンドレール２０に取り付け、陳列室１１内を、上前方若しくは、下前方から照明しているが、これに限定されるものではなく、ＬＥＤ照明４０自体が陳列室１１の外側に配設されているものであれば、例えば側板５等にＬＥＤ照明４０を取付、陳列室１１内を側方から照明しても良い。これにより、照明に関する陳列室１１内の熱負荷を零とすることができ、ショーケース１自体の冷却効率の低温ショーケースかを未然に防止することが可能となる。
【００７６】
また、これ以外にも、内層吐出口１６の陳列室１１側の天面仕切板８や側板５等に上記実施例と同様のＬＥＤ照明４０を取り付けて、陳列室１１内を上方や側方から照明しても良いものとする。これによっても、陳列室１１内を効果的に照明することが可能となる。
【００７７】
上記各場合において、ハンドレール２０の如く結露が生じやすい場所若しくは、結露が生じやすい場所と交熱的にＬＥＤ照明４０の基板４２を取り付けることによって、ＬＥＤ照明４０から放出される熱を利用して結露を防止することが可能となり、格別に結露防止用のヒータを設ける必要がなくなる。
【００７８】
また、本実施例では、所謂縦型のオープンショーケースにＬＥＤ照明４０を取り付けたものを例として挙げているが、これに限定されるものではなく、平型のオープンショーケースであっても同様の効果を奏することが可能となる。
【図面の簡単な説明】
【００７９】
【図１】本発明を適用したオープンショーケースの斜視図である。
【図２】図１のオープンショーケースの縦断側面図である。
【図３】図２の部分拡大断面図である。
【図４】シェードの断面図である。
【図５】ＬＥＤ照明の取付状態を示す図である。
【図６】照度測定の結果を示す図である。
【図７】図６の照度測定に用いられたショーケースの縦断側面図である。
【図８】棚板前部の拡大断面図である。
【図９】ハンドレール部分の拡大断面図である。
【図１０】従来のオープンショーケースの縦断側面図である。
【符号の説明】
【００８０】
１    オープンショーケース
２    断熱壁
１１  陳列室
１２  前面開口
１６、１７  吐出口
１８、１９  吸込口
２０  ハンドレール
２６、４５  反射板
３１  ブラケット
３２  棚板（棚）
３３  キャノピー
３４  プライスレール
３５  ガード
３９  冷却器
４０  ＬＥＤ照明
４１  照明取付部
４１Ａ  照明取付面
４２  基板
４５  反射板
４６、５３  シェード
４８  導光板
４９  入光部
５０  反射シート
５１  拡散シート
５２  発光面
【図１】
2008206665.tif 000003
【図２】
2008206665.tif 000004
【図３】
2008206665.tif 000005
【図４】
2008206665.tif 000006
【図５】
2008206665.tif 000007
【図６】
2008206665.tif 000008
【図７】
2008206665.tif 000009
【図８】
2008206665.tif 000010
【図９】
2008206665.tif 000011
【図１０】
2008206665.tif 000012